(57)【特許請求の範囲】
【請求項１】
吸込口および吹出口を有する除湿機本体内に、空気中の水分を吸着する吸湿部および吸着している水分を放出する再生部を有する吸湿器と、
前記再生部からの高湿の空気を凝縮する凝縮器と、室内の湿度を検出する湿度検出器とが設けられ、
前記吸込口から凝縮器、吸湿器の吸湿部を経て吹出口に至る吸湿経路が形成され、
該吸湿経路に送風ファンが設けられ、前記凝縮器と吸湿器の再生部とを連通する再生経路が形成され、
該再生経路に空気を流すための再生ファン、および再生経路中を流れる空気を加熱する再生ヒータが設けられた除湿機であって、
検出された湿度に基づいて前記再生経路に設けられた前記再生ヒータの作動を制御する制御装置が設けられ、
該制御装置は、設定湿度に対し検出湿度が高く、かつ検出湿度が設定湿度に近づくに従って、前記再生ヒータの出力を段階的に低下させ、これに合わせて前記吸湿経路に設けられた前記送風ファンの出力も段階的に低下させる可変手段を備えたことを特徴とする除湿機。
【請求項２】
制御装置は、検出湿度が設定湿度に達したとき、再生ヒータの作動を停止し、一定時間経過してから吸湿経路の送風ファンを停止させる停止手段を備えたことを特徴とする請求項１記載の除湿機。
【請求項３】
制御装置は、再生ヒータの作動を停止したとき、吸湿経路の送風ファンの出力をそのまま継続して送風ファンを一定時間動作させることを特徴とする請求項２記載の除湿機。
【請求項４】
室温を検出する室温検出器が設けられ、
制御装置は、検出された室温が高い場合、設定湿度を低めに変更し、室温が低い場合、設定湿度を高めに変更する調整手段を備えたことを特徴とする請求項１記載の除湿機。
【発明の詳細な説明】
【０００１】
【発明の属する技術分野】
本発明は、吸湿器によって室内の空気中の水分を吸着しながら、この吸湿器の再生を行う乾式除湿機に関する。
【０００２】
【従来の技術】
従来の除湿機として、空気中の水分を吸着する一方、吸着した水分を放出させて再生する回転式の吸湿器、いわゆる除湿ロータを用いたものが知られており、例えば特開平６−３１１３２号公報に開示されている。このような除湿機における運転制御としては、除湿ロータの回転速度が速い場合には大風量で、また除湿ロータの回転速度が遅い場合には小風量で、除湿ロータの回転速度に対応させて、再生用加熱空気が除湿ロータを通過するときの風量を制御している。これによって、除湿性能を高めることができ、低湿環境を作り出す場合に適している。
【０００３】
一方、室内を快適な環境にする場合には、除湿機に湿度センサを設けて、この検出された湿度に応じて運転を制御すればよい。例えば、特開平７−３１３８２８号公報には、湿度センサによって適湿状態を検知したときに、運転動作を停止させて、一時的に待機状態にする、あるいは再生用のヒータを停止させ、室内の空気を撹拌するためにファンのみを動作させる制御を行うことが開示されている。
【０００４】
【発明が解決しようとする課題】
快適な室内環境を得るために除湿機では、室内の湿度を湿度センサで検知して湿度を制御しているが、適湿状態を検知したときに、ヒータを停止させ、ファンを駆動したままにする制御を行っている。このような制御であると、運転中であるにもかかわらず正常な除湿運転がされていないと使用者が誤認識をしてしまい、故障とのナンセンスコールが生じる問題がある。すなわち、適湿状態が得られているのに、必要のない運転を続行することにより生じる問題であって、しかもこの運転によって電力を消費され、省エネルギー化に反する。
【０００５】
本発明は、上記に鑑み、誤認識されるような運転をなくすことにより、低消費電力化を図れる除湿機を提供することを目的とする。また、使用状況や周囲の状況に応じて適切な運転の制御を行うことによって、低消費電力化を図るようにすることも目的とする。
【０００６】
【課題を解決するための手段】
本発明による課題解決手段は、吸込口および吹出口を有する除湿機本体内に、除湿空気中の水分を吸着する吸湿部および吸着している水分を再生空気中に放出する再生部を有する吸湿器と、再生部からの高湿の再生空気を凝縮する凝縮器とが設けられ、吸込口から凝縮器、吸湿器の吸湿部を経て吹出口に至る吸湿経路が形成され、吸湿経路に送風ファンが設けられ、また凝縮器と吸湿器の再生部とを連通する再生経路が形成され、再生経路中を流れる空気を加熱する再生ヒータが設けられたものである。そして、室内の湿度を検出する湿度検出器と、室温を検出する室温検出器と、除湿された後の除湿空気の温度を検出する温度検出器と、各検出器によって検出された温度および湿度に基づいて再生ヒータおよび送風ファンの作動を制御して運転を行う制御装置とが設けられたものである。
【０００７】
制御装置は、検出湿度が設定湿度に達したとき、再生ヒータおよび送風ファンの作動を停止させる停止手段と、設定湿度に対して検出湿度が低いほど再生ヒータおよび送風ファンの出力を低下させる可変手段と、検出された室温に応じて設定湿度を変更する調整手段と、さらに、室内の除湿を行う運転モードあるいは除湿された空気を利用した乾燥を行う運転モードを選択する選択手段と、検出温度と設定温度に基づき選択された運転モードに応じた運転を実行する運転手段と、選択された運転モードに応じて設定温度を変更する設定変更手段と、検出された除湿空気の温度が設定温度以上に達したとき、再生ヒータの出力を低下させる過温防止手段と、再生ヒータの出力を低下させても除湿空気の検出温度が設定温度以上になるとき運転を停止させる強制終了手段とを備えている。
【０００８】
このように、再生ヒータおよび送風ファンの出力を可変する運転制御を行ったり、室温に応じて設定湿度を変更することによって、室内の湿度をきめ細かくコントロールすることができ、快適な室内環境が得られる。しかも、周囲の状況に見合った運転を実行でき、不必要な運転を排除して、無駄な電力消費を低減できる。そして、適湿状態が得られたならば、運転を即座に停止させることにより、誤認識を招く運転がなくなり、ナンセンスコールをなくすことができる。しかも、再生ヒータおよび送風ファンの無駄な作動もなくなり、低消費電力化を図れる。
【０００９】
なお、再生ヒータの作動停止後、一定時間経過してから送風ファンを停止させてもよい。これは、吸湿器が高温となっているので、送風ファンの作動によって吸湿器を空冷することができる。その結果、しばらくしてから運転が行われる場合、運転開始直後の吸湿性能が高くなり、設定湿度に達するまでの運転時間を短縮することができ、電力消費を低減できる。
【００１０】
また、乾燥運転や除湿運転といった運転モードに応じて吹き出す除湿空気の設定温度を変更することにより、所望の運転が実行されて必要とする室内環境が得られ、過剰な運転を行わなくてすみ、無駄な電力消費をなくすことができる。ここで、除湿空気が高温になって設定温度を越えても、再生ヒータの出力を低下させることによって、除湿空気の温度が異常に上昇することを防げ、高温の吹き出し空気によるトラブルの発生を未然に防止できる。しかしながら、再生ヒータの出力を低下させても異常高温が起これば、即座に運転を停止するので、安全性が高まる。なお、再生ヒータの出力を低下させるとき、送風ファンの出力は変更せずに一定にしておくと、すばやく除湿空気の温度を低下させることができる。
【００１１】
ところで、除湿運転以外に乾燥された除湿空気を利用した乾燥運転を選択できるようにしておけば、除湿機の用途が広がる。そこで、乾燥運転を行う場合、特定の場所を集中的に乾燥させたいという要望があり、そのため吹出口以外にダクトを設け、乾燥した温風を局所的に吹き出せるようにする。このとき、吹出口を開閉するダンパーを設け、吹出口をダンパーで閉塞してダクトに除湿空気を導く。
【００１２】
このダンパーの開閉状態を検知する開閉検出器を設け、ダンパーの開閉状態が選択された運転モードに適合しているかどうかを判断して、適合していれば運転を行い、適合していなければ運転を禁止する。したがって、異常な運転を阻止でき、安全に使用することができる。
【００１３】
【発明の実施の形態】
本発明の一実施形態の除湿機を図１〜３に示す。この除湿機では、室内の除湿したい空気（以下、除湿空気と称する）を吸い込む吸込口１が除湿機本体２の前面に形成され、乾燥した除湿空気を吹き出す吹出口３が上面に形成され、吹出口３にはダンパー４が開閉自在に設けられている。さらに上面には、運転操作用のスイッチや運転状態を表示する表示器を備えた操作部５と、本体２を持ち運ぶ取っ手６とが設けられている。また、本体２の側面上部には、乾燥した除湿空気を任意の方向に吹き出させるためのダクト７が取り付けられている。
【００１４】
そして、図３に示すように、本体２内に、回転自在な吸湿ロータからなる吸湿器８が設けられており、吸湿器は、吸い込んだ除湿空気中の水分を吸着する吸湿部９と、吸着している水分を放出する再生部１０とを有する。この吸湿部９を除湿空気が通過するように吸込口１から吹出口３に至る吸湿経路１１が形成され、また再生部１０から水分を放出させるための再生空気が再生部１０を通過するように再生経路１２が形成されている。なお、吸湿部９および再生部１０は、吸湿器８に対してそれぞれ除湿空気、再生空気が通過する領域であって、除湿性能を高めるために吸湿部９は再生部１０よりも広い面積を占めており、吸湿器８の回転によってその全面を各空気が通過可能となる。
【００１５】
吸湿経路１１には、上流側から順に吸い込んだ除湿空気で再生空気を冷却して再生空気中の水分を凝縮させる凝縮器１３、吸湿器８の吸湿部９、再生空気を除湿空気で加熱する熱回収用熱交換器１４、室内から除湿空気を吸い込むためのターボファンからなる送風ファン１５が設けられている。再生経路１２は、閉回路とされ、再生空気が循環するようになっており、吸湿器８の再生部１０、凝縮器１３、熱交換器１４、再生空気を循環させるシロッコファンからなる再生ファン１６、再生空気を加熱する再生ヒータ１７の順に再生空気の流れ方向に沿って設けられている。また、凝縮器１３および熱交換器１４の内部で結露した水を溜める水受けタンク１８が設けられている。
【００１６】
吸湿器８は、セラミック紙などの帯状の平面シートと、その表面に同じ基材の帯状平面シートを高さ１〜１．５ｍｍ程度に波付け加工した波形シートとを接着して一体化して片波成形体を構成し、この片波成形体を巻回してロータにしたものに、吸湿材としてのゼオライトを溶かした溶剤を含浸担持させたもので、コルゲート状に形成されて、軸方向に空気が通過する。そして、吸湿器８の中心を通る回転軸が本体２に回転自在に支持され、この回転軸が図示しないモータによって回転駆動されることによって、吸湿器８は回転する。
【００１７】
凝縮器１３および熱交換器１４は、上下とその中間に水平方向に配され、両端において互いに連通するように設けられた水平管と、これら水平管の間に上下方向に配され、両端において連通するように設けられた多数の上下管とを組み合わせた構造とされる。そして、半透明のポリプロピレン樹脂などを用いてブロー成型され、抗菌樹脂を使用し、漏れのない配管構造にして、かつ軽量化されている。
【００１８】
凝縮器１３では、水平管を室内から吸い込まれた除湿空気が通り、上下管を高温の再生空気が通ることにより、再生空気を冷却して、再生空気中の水分を結露させて水状態にする。また、熱交換器１４では、凝縮器１３を通過した温度の低い再生空気を、吸湿器８の吸湿部９を通過した暖かい除湿空気で加熱することにより、両者で熱交換をして、再生空気の温度を上げて再生ファン１６に送るとともに、除湿空気の温度を下げる。
【００１９】
再生ヒータ１７は、吸湿器８の吸湿部９で吸着した水分を離脱するために再生部１０に加熱された空気を送るための加熱手段であり、ニクロム線ヒータを用いている。再生ヒータ１７の出力は、４９５Ｗ、２９５Ｗ、２２０Ｗと除湿能力に応じて切り替え可能とされ、再生空気の温度を２００〜２５０℃になるように制御している。
【００２０】
そして、図２に示すように、凝縮器１３は本体２の前面側で吸込口１に面するように配置され、吸込口１と凝縮器１３との間にフィルタ１９が着脱自在に配されている。さらに、凝縮器１３の後方に吸湿器８が配置され、吸湿器８の後方に熱交換器１４が配置され、本体２の後面側に、仕切板２０によって上面の吹出口３に連通する空間が形成され、仕切板２０に送風ファン１５が取り付けられる。したがって、吸湿経路１１は、本体２の前側から後側に向かって形成される。また、再生ファン１６および再生ヒータ１７は再生ボックス２１に収納され、再生ボックス２１は吸湿器８および熱交換器１４に連通するように近接して本体１の上部に配置され、再生ボックス２１が面する吸湿器８の領域が再生部１０となる。
【００２１】
本体２の下部には、水受けタンク１８が着脱自在に配置され、凝縮器１３および熱交換器１４の上下管に接続されるように配管されている。前面の下部カバー２２が着脱自在とされ、この下部カバー２２を取り外すことによって水受けタンク１８を出し入れすることができる。
【００２２】
水受けタンク１８は、樹脂製でブロー成形加工された容器であり、横方向に細長い形状とされ、上面に凝縮器１３や熱交換器１４からの結露した水の取入口が形成され、この取入口を覆う蓋に取水穴が形成され、この孔に配管されている。また、蓋には、水受けタンク１８の水位を検出するフロートスイッチ等の水位検出装置が装着されている。
【００２３】
ダクト７は、ダクトホース３０とこれに接続されたダクト継手３１から構成され、ダクトホース３０は、蛇腹状の形状をした樹脂製の内径５０ｍｍのホースであり、吹出口３の約１／５の面積とされる。ダクト継手３１は、本体２の側面上部で吹出口３の近傍に形成されたダクト口に挿入され、係止爪によって外れないように係合され、一定の角度で自在に回転可能とされる。
【００２４】
ダンパー４は、図４に示すように、吹出口３を閉塞する閉塞板３２と、これに直交して所定の間隔をおいて配された複数の方向板３３とから一体的に形成され、本体２の支軸３４周りに開閉自在に取り付けられている。なお、吹出口３の形状は、約５０×２００ｍｍの長方形をしている。ダンパー４が開いているとき、吹出口３から除湿空気が吹き出され、方向板３３によって風向きを変えることができる。ダンパー４が閉じているとき、吹出口３は閉塞され、除湿空気はダクト口に導かれることになり、ダクト７から吹き出すことができる。すなわち、ダクト７は、吸湿経路１１の一部が分岐された通路である。
【００２５】
ここで、ダンパー４の開閉状態を検知する開閉検出器が設けられている。開閉検出器としては、マイクロスイッチ３５に金属製のアクチェータ３６を装着したものであり、アクチェータ３６の先端が閉状態のダンパー４と接触するように、マイクロスイッチ３５が吹出口３近傍の本体２内部に取り付けられている。ダンパー４を開くと、マイクロスイッチ３５のアクチェータ３６に対する押さえがなくなることになり、アクチェータ３６は解放され、マイクロスイッチ３５はＯＦＦ状態になる。また、ダンパー４が閉状態になると、アクチェータ３６を押えつけて、マイクロスイッチ３５はＯＮ状態になる。
【００２６】
上記の如く構成された除湿機の動作を説明する。本体２上面の操作部５の運転スイッチを押すと、除湿運転が開始される。送風ファン１５が駆動されて、室内の除湿したい除湿空気（例えば２７℃、６０％）が吸込口１から吸引され、フィルタ１９によってゴミや塵が取り去られ、凝縮器１３を通る。このとき、暖かく湿った凝縮器１３内部の再生空気を外部から冷却し、再生空気中の水分を結露させる。凝縮器１３を通過した除湿空気は、吸湿器８の吸湿部９に達し、空気中の水分が吸湿器８の吸着材に吸着される。吸湿器８を通過後の除湿空気は、吸湿器８の再生部１９の熱による影響を僅かに受けて温度上昇して、熱交換器１４で再生空気と熱交換して温度を下げられ、吹出口３から乾燥した除湿空気（例えば４５℃、５％以下）として室内に放出される。
【００２７】
また、除湿空気の水分を吸着した吸湿器８の吸湿材から水分を放出させて、吸湿器８を再生するため、再生ヒータ１７にて再生空気を２００〜２５０℃に加熱した後、吸湿器８に再生ファン１６により送風する。加熱された再生空気は吸湿器８の吸湿材から水分を離脱させ、この水分を含むことによって暖かく湿った再生空気となり、凝縮器１３に送られる。凝縮器１３において除湿空気で冷却され、再生空気の水分は凝縮されて結露し、凝縮器１３の下部に溜まり、凝縮器１３の水取出口より結露水は水受けタンク１８に導かれる。
【００２８】
吸湿器８を高温の再生空気が通過するとき、吸湿器８は約３０回転／時間とゆっくりと回転移動するため、２００〜２５０℃の再生空気が再生部１０を通過した後の残留している熱によって、吸湿器８自体は１２０〜１４０℃に暖められる。吸湿器８のその暖められた領域を除湿空気が通過するため、通過後の除湿空気は暖められ乾燥した空気となる。吸湿経路１１では吸湿器８より下流側にある熱交換器１４において、凝縮器１３からの温度の低下した再生空気（約３５℃）は高温の除湿空気と熱交換されて約４０℃になる。このように、熱交換器１４を設けることによって再生空気を暖めることができるので、再生ヒータ１７にかかる負担を軽減でき、低消費電力化を図れる。また、除湿空気は、熱交換器１４を通過することによって温度が下げられるので、除湿空気に残留している水分が凝縮され、さらに除湿することができる。
【００２９】
ところで、本除湿機では、除湿運転だけでなく、乾燥運転等の各種運転モードでの運転を行えるようになっている。すなわち、図５に示すように、操作部５には、運転の開始、停止のための「運転入／切」スイッチ４０、除湿運転における運転モードを切り換えるための「自動除湿」スイッチ４１、室内の結露を防ぐための「結露防止」スイッチ４２、乾燥された除湿空気を利用して衣類等の乾燥を行うための「温風乾燥」スイッチ４３、運転時間を設定するための「切タイマー」スイッチ４４が設けられている。
【００３０】
また、運転状況を表示するための表示器が設けられており、除湿運転における「標準」、「静音」、「フルパワー」の各運転モードの実行中に点灯する除湿ランプ４５、乾燥運転における「衣類乾燥」、「押入（ふとん）乾燥」の各運転モードの実行中に点灯する乾燥ランプ４６、ダンパー４の開閉状態に応じて点灯するルーバーランプ４７、タイマーの設定時間を示すランプ４８がある。
【００３１】
そして、除湿機の運転を制御するための制御装置５０を備えており、室温や室内の湿度、さらにダンパー４の開閉状態に応じて再生ヒータ１７、再生ファン１６、送風ファン１５等が駆動制御される。そのため、本体２には、室内の湿度を検出する湿度検出器と、室温を検出する室温検出器と、除湿された後の除湿空気の温度を検出する温度検出器とが設けられている。
【００３２】
湿度検出器としては、セラミックからなる湿度センサ５１が用いられ、本体２内の送風ファン１５よりも上流側の仕切板２０の側方に配置され、仕切板２０に対向する本体側面に湿度センサ用の空気穴が形成されている。温度検出器としては、温度サーミスタ５２が用いられ、本体２内の吹出口３の上流側において吸湿経路１１を流れる除湿空気の温度を検出できるように熱交換器１４の除湿空気が通過する穴部に取り付けられている。室温検出器は、一般的な温度センサ５３が用いられ、湿度センサ５１と同位置近傍に配置されている。
【００３３】
なお、温度サーミスタ５２は、吸湿経路１１内の除湿空気の温度を検出し、さらに送風ファン１５の故障や吸込口１にタオル等が掛けられて風量が低下して、吸湿経路１１内の除湿空気の温度が異常に上昇したことを検出しており、このような場合に運転を停止するようになっている。
【００３４】
制御装置５０は、図６に示すように、ＣＰＵ、メモリ等を有する制御部５４と、各センサおよびスイッチからの出力信号を検知する室温判定手段５５、湿度判定手段５６、温度判定手段５７、ダンパー開閉判定手段５８、スイッチ判定手段５９と、ＬＥＤランプ等の表示器６０を駆動する表示駆動手段６１と、再生ヒータ１７、再生ファン１６、送風ファン１５に運転状況に応じた駆動信号を出力する再生ヒータ駆動手段６２、再生ファン駆動手段６３、送風ファン駆動手段６４とを備えている。なお、制御装置５０は、吸湿器８を定速で回転するように駆動制御し、再生ファン１６も吸湿器８の回転とともに常時駆動される。さらに、水受けタンク１８が満水になったときには、ランプの点滅あるいは点灯によって報知する。
【００３５】
ここで、各運転モードでの具体的な動作について説明する。まず、除湿運転には、「標準」「静音」「フルパワー」の運転モードがあり、「運転入／切」スイッチ４０を押すと、「標準」運転モードで運転が開始され、室温と湿度を温度センサ５３と湿度センサ５１で検出して、制御装置５０に入力し、室温判定手段５５、湿度判定手段５６により、室温および湿度を算出し、室温に応じて設定湿度を調整する。室温が２７℃未満、室内の湿度が６０％以上、若しくは室温が２７℃以上、室内の湿度が５５％以上のときには、制御部５４より再生ヒータ１７の出力を「中」、送風ファン１５の出力を「中」で運転を行い、室温と湿度が上記以外のときには再生ヒータ１７の出力を「ＯＦＦ」、送風ファン１５の出力を「中」で運転し、再生ヒータ１７の「ＯＦＦ」状態が２分以上続行されたときには、送風ファン１５の出力を「ＯＦＦ」状態にして、運転を停止する。
【００３６】
また、「標準」「静音」「フルパワー」の運転モードを選択するには、「自動除湿」スイッチ４１を押すごとに順次運転モードが切り換わり、選択できる。「静音」運転モードにすると、室温が２７℃未満、室内の湿度が６０％以上、若しくは室温が２７℃以上、室内の湿度が５５％以上のときには、再生ヒータ１７の出力を「弱」、送風ファン１５の出力を「弱」で運転を行い、室温と湿度が上記以外のときには再生ヒータ１７の出力を「ＯＦＦ」、送風ファン１５の出力を「弱」で運転し、再生ヒータ１７の「ＯＦＦ」状態が２分以上続行されたときには、送風ファン１５の出力を「ＯＦＦ」状態にして、運転を停止する。
【００３７】
「フルパワー」運転モードにすると、室温が２７℃未満、室内の湿度が６０％以上、若しくは室温が２７℃以上、室内の湿度が５５％以上のときには、再生ヒータ１７の出力を「強」、送風ファン１５の出力を「強」で運転を行い、室温と湿度が上記以外のときには再生ヒータ１７の出力を「ＯＦＦ」、送風ファン１５の出力を「強」で運転し、再生ヒータ１７の「ＯＦＦ」状態が２分以上続行されたときには、送風ファン１５の出力を「ＯＦＦ」状態にして、運転を停止する。
【００３８】
なお、除湿運転において、室内の湿度を湿度センサ５１で検知して、その湿度に応じて再生ヒータ１７および送風ファン１５の出力を可変するようにしてもよい。すなわち、湿度が６０〜６５％のときには、再生ヒータ１７の出力を「弱」、送風ファン１５の出力を「弱」で運転し、湿度が６５〜７０％のときには、再生ヒータ１７の出力を「中」、送風ファン１５の出力を「中」で運転し、湿度が７０％以上のときには、再生ヒータ１７の出力を「強」、送風ファン１５の出力を「強」で運転し、湿度が上記以外のときには再生ヒータ１７の出力を「ＯＦＦ」、送風ファン１５の出力を「弱」で運転し、再生ヒータ１７の「ＯＦＦ」状態が２分以上続行されたときには、送風ファン１５の出力を「ＯＦＦ」状態にして、運転を停止するシーケンスを別に設けてもよい。
【００３９】
結露防止運転では、「結露防止」運転スイッチ４２を押すと、室温と湿度を温度センサ５３と湿度センサ５１で検知して、室温が１１℃未満、室内の湿度が８０％以上、若しくは室温が１１〜２１℃、室内の湿度が７０％以上、若しくは室温が１６〜２１℃、室内の湿度が４０％以上、若しくは室温が２１〜２５℃、室内の湿度が３０％以上のときには、再生ヒータ１７の出力を「強」、送風ファン１５の出力を「強」で運転を行い、室温と湿度が上記以外のときには再生ヒータ１７の出力を「ＯＦＦ」、送風ファン１５の出力を「弱」で運転し、再生ヒータ１７の「ＯＦＦ」の状態が２分以上続行されたときには、送風ファン１５の出力を「ＯＦＦ」状態にして、運転を停止する。これにより、室内の空気の水蒸気圧が低下して、結露を防げる。
【００４０】
以上の各運転において、再生ヒータ１７の出力が「ＯＦＦ」状態となって、２分以上続行されたときに、送風ファン１５の出力を「ＯＦＦ」状態にして運転を停止するシーケンスをなくしたシ―ケンス、すなわち再生ヒータ１７の「ＯＦＦ」と同時に送風ファン１５も「ＯＦＦ」にするような制御を行ってもよい。
【００４１】
乾燥運転では、「温風乾燥」スイッチ４３を押すごとに、順次運転モードが「衣類乾燥」、「押入（ふとん）乾燥」運転に切り換わる。「衣類乾燥」運転は、室温、室内の湿度に関係なく、再生ヒータ１７の出力「強」、送風ファン１５の出力を「強」で連続運転をする。このとき、「切タイマー」スイッチ４４を操作することによって、運転時間を設定できる。タイマーは運転中のみ作動し、「切タイマー」スイッチ４４を押すごとに、「６時間」→「タイマー切」→「１時間」→「３時間」→「６時間」→・・、と順次切り換わり、ＬＥＤ表示も切り換わる。なお、除湿運転においてもタイマーにより運転時間を設定して、運転を行ってもよい。
【００４２】
「押入（ふとん）乾燥」運転は、室温、室内の湿度に関係なく、再生ヒータ１７の出力を「中」、送風ファン１５の出力を「強」で運転を行い、タイマーにより運転時間を設定して運転をする。
【００４３】
ここで、「押入（ふとん）乾燥」運転は、吹出口３をダンパー４で閉塞して、ダクト７を押し入れやふとんの中に入れて、高温乾燥状態の除湿空気を吹き出すことによって行われる。そのため、制御装置５０では、ダンパー４の開閉状態が選択された運転モードに適合しているか否かのチェックを行い、適合していれば運転を開始し、適合していなければ運転を禁止するとともに報知する。
【００４４】
例えば、図７に示すように、除湿運転あるいは「衣類乾燥」運転が選択されたとき、マイクロスイッチ３５によってダンパー４が開状態にあることが確認されると、選択された運転モードと一致することになるので、ルーバーランプ４７は点灯せずに運転が開始される。ダンパー４が閉状態にあると、選択された運転モードと一致しないので、ルーバーランプ４７は点滅して、運転を停止する。例えば、ダンパー４が吹出口３を閉じた状態で、「自動除湿・標準」運転を行おうとしたときには、「自動除湿・標準」ランプ４５とルーバーランプ４７が点滅し、警告音を１０秒間を鳴らして、運転を禁止する。一方、図８に示すように、「押入（ふとん）乾燥」運転が選択されたとき、ダンパー４が閉状態にあることが確認されると、選択された運転モードと一致することになるので、ルーバーランプ４７は点灯せずに運転が開始される。ダンパー４が開状態にあると、選択された運転モ―ドと一致しないので、押入（ふとん）乾燥ランプ４６とルーバーランプ４７は点滅して、運転を停止する。
【００４５】
そして、「押入（ふとん）乾燥」運転の実行中、図９に示すように、室温、室内湿度に関係なく再生ヒータ１７の出力を「中」、送風ファン１５の出力を「強」で連続運転をしているときに、吹出口３の近傍に設けられた温度サーミスタ５２によって、除湿空気の温度が予め設定した温度（５０℃）以上になったことを検出したら、再生ヒータ１７の出力を「中」→「弱」、送風ファン１５の出力を「強」のままで運転して、高温の除湿空気が吹き出さないように除湿空気の過温防止を図る。それでも除湿空気の温度が設定温度（５０℃）以上を検出したら、運転を強制的に終了させることにより、乾燥させるふとん等をこがすなどの不安が解消される。
【００４６】
また、「押入（ふとん）乾燥」運転以外の運転モードのときにも、除湿空気が高温になることを防止するために設定温度以上になったら、再生ヒータ１７の出力を低下させる制御が行われる。このとき、設定温度は「押入（ふとん）乾燥」運転の場合と異なり、１２１℃に変更される。すなわち、運転モードに応じて設定温度は、５０℃、１２１℃のいずれかに変更されることになる。そして、温度サーミスタ５２によって、除湿空気の温度が設定温度（１２１℃）以上になったことを検出したら、再生ヒータ１７の出力を下げ、送風ファン１５の出力はそのままで運転を行う。それでも除湿空気の温度が設定温度より下がらないとき、運転を停止する。これにより、本体２の吹出口３の周辺が高温になり、熱変形を起こすことを防止できる。
【００４７】
なお、本発明は、上記実施形態に限定されるものではなく、本発明の範囲内で上記実施形態に多くの修正および変更を加え得ることは勿論である。上記の除湿機では、再生空気は本体内の再生経路を循環しているが、室外あるいは室内から空気を導入して、吸湿器を再生させた後、室外あるいは排気ダクトに排出するようにしてもよい。この場合、吸湿器から水分を取り去った高湿の再生空気をそのまま外部に排出すれば、凝縮器が不要となる。そこで、除湿機の本体を壁や天井に取り付けるようにすればよい。
【００４８】
また、ダンパーをモータにより回動させることによって、吹出口を自動的に開閉するようにしてもよく、さらにダンパーにダクト口を開閉する部材を一体に設け、ダンパーが吹出口を閉じたときダクト口が開放され、吹出口を開いたときダクト口を閉じるようにする。
【００４９】
【発明の効果】
以上の説明から明らかな通り、本発明によると、除湿運転時に検出湿度と設定湿度との関係に基づいて、再生経路の再生ヒータおよび吸湿経路の送風ファンを効率よく駆動制御することで不要な運転をなくすことができ、低消費電力化を図ることができる。また、使用者が誤解を招くような運転をなくすことができる。
【図面の簡単な説明】
【図１】本発明の一実施形態の除湿機の斜視図
【図２】除湿機の概略断面図
【図３】除湿機の機構の説明図
【図４】吹出口のダンパーを示す図
【図５】操作部を示す図
【図６】除湿機の制御ブロック図
【図７】除湿運転あるいは衣類乾燥運転を行うときのフローチャート
【図８】押入（ふとん）乾燥運転を行うときのフローチャート
【図９】押入（ふとん）乾燥運転中に強制終了を行うときのフロチャート
【符号の説明】
１    吸込口
２    本体
３    吹出口
４    ダンパー
５    操作部
７    ダクト
８    吸湿器
９    吸湿部
１０    再生部
１１    吸湿経路
１２    再生経路
１３    凝縮器
１４    熱交換器
１５    送風ファン
１６    再生ファン
１７    再生ヒータ
３５    マイクロスイッチ
５０    制御装置
５１    湿度センサ
５２    温度サーミスタ
５３    温度センサ
【図１】
0003899218.tif 000002
【図２】
0003899218.tif 000003
【図３】
0003899218.tif 000004
【図４】
0003899218.tif 000005
【図５】
0003899218.tif 000006
【図６】
0003899218.tif 000007
【図７】
0003899218.tif 000008
【図８】
0003899218.tif 000009
【図９】
0003899218.tif 000010